(57)【要約】【課題】作業性を損なうことなく電線間の止水性を向上させる。【解決手段】水平方向に配線する複数本の電線Ｗ群を垂直方向に並べて保持し、これら電線Ｗの隙間に止水剤１９を注入する電線Ｗ間への止水剤注入方法であって、電線Ｗ群の両側に沿って押当材（第１〜第３ピンチローラ１１、１２、１３）を押し当てながら垂直方向に移動させ、該押当材１１、１２、１３により押さえることにより強制的に電線Ｗ間に隙間をあけ、この隙間に止水剤１９を注入している。【選択図】　図２
2004134193.tif 000002
【特許請求の範囲】
【請求項１】
水平方向に配線する複数本の電線群を垂直方向に並列保持し、これら電線の隙間に止水剤を注入する方法であって、
上記並列する電線群の両側に沿って押当材を電線群に押し当てながら垂直方向に移動させて強制的に電線間に隙間をあけ、この隙間に止水剤注入具により止水薬を注入していることを特徴とする電線間への止水剤注入方法。
【請求項２】
上記押当材と止水剤注入具とを連動させ、押当材により電線群の下端から上端へ、あるいは上端から下端へと、順次電線間に隙間を形成すると共に、この形成された隙間に上記止水剤注入具より止水剤を注入している請求項１に記載の電線間への止水剤注入方法。
【請求項３】
請求項１または請求項２に記載の止水剤注入方法に用いる止水剤注入装置であって、
上記押当材は、電線群の一方側に配置する１つの第１ピンチローラと、他方側に配置する２つの第２、第３ピンチローラとからなり、第１ピンチローラの対向位置に止水剤注入具を位置させると共に、該止水剤注入具の上下に上記第２ピンチローラと第３ピンチローラを配置し、
上記第１〜第３ピンチローラおよび上記止水剤注入具を連動させて上記電線群の両側に沿って垂直方向に移動させる構成としていることを特徴とする止水剤注入装置。
【請求項４】
請求項１または請求項２に記載の止水剤注入方法に用いる止水剤注入装置であって、
上記押当材は、電線群の一方側に配置する第１楔材と、他方側に配置する第２楔材とを対向して配置しており、上記第１楔材および第２楔材の上方あるいは下方に止水剤注入具を配置し、
上記第１楔材、第２楔材および上記止水剤注入具を連動させて上記電線群の両面に沿って垂直方向に移動させる構成としていることを特徴とする止水剤注入装置。
【請求項５】
上記押当材はゴムあるいはエラストマーからなる弾性材で形成している請求項３または請求項４に記載の止水剤注入装置。
【発明の詳細な説明】
【０００１】
【発明の属する技術分野】
本発明は、電線間への止水剤注入方法および止水剤注入装置に関し、詳しくは、複数本の電線が束となったワイヤハーネスの各電線間に確実に止水剤を注入するものである。
【０００２】
【従来の技術】
自動車の車体に配策されるワイヤハーネスは、車両の被水領域を通る部位では種々の止水対策が施されている。例えば、エンジンルーム側から車体パネルの貫通穴を通して室内側へ配索するフロント・ワイヤハーネスでは、エンジンルーム側は被水領域であるため止水対策が施されており、ワイヤハーネスをテープで２重ハーフラップ巻きしてワイヤハーネスの内部に浸水が発生しないようにすると共に、エンジンルームと室内とを仕切る車体パネルの貫通穴には、ワイヤハーネスに装着したグロメットを取り付けて室内側への浸水発生を防止している。
また、エンジンルーム側のワイヤハーネスのコネクタ接続側先端やワイヤハーネス内部に侵入した水が毛細管現象でワイヤハーネス内部の電線群の隙間を通して室内側に侵入するのを防止するため、エンジンルーム側のワイヤハーネスの一部に下方に垂れ下げた部分を設けると共に当該部分にテープを巻き付けず、ワイヤハーネス内部に侵入した水を自重落下させて強制排水させることもなされている。
【０００３】
さらに、止水を確実に防止するため、上記エンジンルームと室内とを仕切る車体パネルの貫通穴に取り付けるグロメットでは、図４に示すように、内部に挿通させるワイヤハーネスＷ／Ｈの電線Ｗ群の隙間及び該電線群とグロメット１の内周面との隙間を無くすために止水剤２を充填している場合が多い。
上記止水剤２の充填は、グロメット１にワイヤハーネスＷ／Ｈを通した後に、グロメット１の大径側開口部より止水剤を注入している場合が多いが、この場合は、ワイヤハーネス組立作業台上で止水剤充填作業を行うことができず、作業工程が別になるため、生産性が悪い問題があった。
【０００４】
このため、本出願人は先に特開平１０−１３５６５７号や特開平１０−１７２３６０号で、図５（Ａ）〜（Ｆ）に示すように、グロメット６にワイヤハーネスＷ／Ｈを通す前に、冶具２で並列状態で保持された電線Ｗ群の隙間に止水剤４を充填塗布し、塗布した後にシート５あるいはテープを巻き付けておき、この状態でグロメット６内に通してライン上での線間止水を行える方法を提供している。
【０００５】
【特許文献１】
特開平１０−１３５６５７号公報
【特許文献２】
特開平１０−１７２３６０号公報
【０００６】
【発明が解決しようとする課題】
しかしながら、電線Ｗ間に止水剤４を充填する方法として、図５（Ａ）に示すように、電線間に隙間が生じやすいように電線群を垂直方向に並設して偏平とした状態で、その両側より止水剤４を塗布・注入しているが、ワイヤハーネスＷ／Ｈを構成する大小の電線Ｗの組合せによっては電線間に外面に連通する隙間を形成した状態で十分に偏平化されない。そのため、電線Ｗ群の内部に生じる隙間に両側より塗布する止水剤４が浸透しない場合があり、電線Ｗ群の中に空隙が残存することとなる。この場合、電線Ｗ群の内部に侵入した水が上記空隙を通って室内側へと浸水していく恐れがある。
【０００７】
本発明は、上記した問題を鑑みてなされたものであり、電線群の隙間に確実に止水剤を充填させ、止水の確実化を図ることを課題としている。
【０００８】
【課題を解決するための手段】
上記課題を解決するため、本発明は、第１に、水平方向に配線する複数本の電線群を垂直方向に並列保持し、これら電線の隙間に止水剤を注入する方法であって、
上記並列する電線群の両側に沿って押当材を電線群に押し当てながら垂直方向に移動させて強制的に電線間に隙間をあけ、この隙間に止水剤注入具により止水薬を注入していることを特徴とする電線間への止水剤注入方法を提供している。
【０００９】
具体的には、上記押当材と止水剤注入具とを連動させ、押当材により電線群の下端から上端へ、あるいは上端から下端へと、順次電線間に隙間を形成すると共に、この形成された隙間に上記止水剤注入具より止水剤を注入している。
【００１０】
上記した本発明の方法によると、止水剤を電線群の各電線間に注入する際に、押当材により電線群の間に隙間を強制的にあけ、この強制的にあけた隙間に止水剤を注入していくために、確実に電線間に止水剤を充填させることができる。
【００１１】
本発明は第２に、上記止水剤注入方法に用いる止水剤注入装置を提供している。　この止水剤注入装置では、上記押当材を、電線群の一方側に配置する１つの第１ピンチローラと、他方側に配置する２つの第２、第３ピンチローラとで構成し、上記第１ピンチローラの対向位置に止水剤注入具を位置させると共に、該止水剤注入具の上下に上記第２ピンチローラと第３ピンチローラを配置し、
上記第１〜第３ピンチローラおよび上記止水剤注入具を連動させて上記電線群の両側に沿って垂直方向に移動させる構成としている。
【００１２】
上記装置によると、第１〜第３ピンチローラおよび止水剤注入具を連動させて電線群の両側に沿って垂直方向に移動させるだけで、三角形の頂点を構成するように３つのピンチローラを配置しているため、第１ピンチローラと第２、第３ピンチローラとで電線群が両側より押圧されるので、電線は第１ピンチローラと第２のピンチローラの間、第２ピンチローラと第３ピンチローラの間の細幅の空間に屈曲させながら１本づつ確実に通過させられ、電線間に矯正的に隙間があけられる。よって、第２ピンチローラと第３ピンチローラとの間で且つ第１ピンチローラと対向する位置に止水剤注入具より止水材を注入すると、電線の間に確実に止水剤を充填していくことができる。
【００１３】
また、本発明は第２に、上記止水剤注入方法に用いる別の止水剤注入装置を提供している。この止水剤注入装置では、上記押当材としてピンチローラに代えて電線間に差し込む楔材を用いている。
詳しくは、電線群の一方側に配置する第１楔材と、他方側に配置する第２楔材とを対向して配置しており、上記第１楔材および第２楔材の上方あるいは下方に止水剤注入具を配置し、第１楔材、第２楔材および上記止水剤注入具を連動させて上記電線群の両面に沿って垂直方向に移動させる構成としていることを特徴とする止水剤注入装置を提供している。
【００１４】
上記装置の場合もピンチローラを押当材として用いた場合と同様に、上記第１、第２楔材および上記止水剤注入具を連動させて上記電線群の両側に沿って垂直方向に移動させるだけで、第１楔材と第２楔材との間の狭幅の空間を電線群が通過する際に、電線群が両側より押圧されるので、電線は第１楔材と第２楔材との間の空間を確実に１本づつ通過させることができる。そして、第１楔材と第２楔材との間を通り抜けて飛び出した電線は、後続の電線との間に隙間を生じさせるので、上記止水剤注入具により該隙間へと止水剤を注入することで、確実に電線間に止水剤を充填させること
【００１５】
なお、上記押当材はゴムあるいはエラストマーからなる弾性と所要の強度を有する弾性材で形成することが好ましい。
即ち、押当材を弾性材とすることで、押当材の間を通過する電線径の相違を吸収し易くなると共に、電線に接触する押当材により電線に損傷を生じさせることを防止できる。さらには、上記押当材をゴムまたはエラストマーとすることで、上記押当材と電線との間で滑りが起こりにくくなり、上記押当材の間に電線を確実に通過させることができる。
【００１６】
【発明の実施の形態】
本発明の実施形態を図面を参照して説明する。
図１は第１実施形態の止水剤注入装置１０を示す。
止水剤注入装置１０は、ワイヤハーネス組立作業台１８の布線経路に沿って立設した一対の電線並列保持治具２１の間に、３つの第１〜第３ピンチローラ１１〜１３からなる押当材２０と止水剤充填具１４とを電線群の両側に沿って連動して昇降させる構成としている。
【００１７】
上記止水剤注入装置１０は駆動源となるシリンダより上向きに突出させるピストン１７にロッド１５を介してゴム製の第１ピンチローラ１１を回転自在に取り付けていると共に、該ピストン１７にロッド１６を介してゴム製の第２ピンチローラ１２と第３ピンチローラ１３を回転自在に取り付けており、第１〜第３ピンチローラ１１、１２、１３は三角形の頂点を構成するように位置させている。
上記第１ピンチローラ１１はワイヤハーネスＷ／Ｈの一方側となる位置に配置され、その他方側に第２ピンチローラ１２と第３ピンチローラ１３を上下配置している。
なお、第１と第２ピンチローラ、第１と第３ピンチローラとの間は、布線している電線群のうち１本の大径の電線ｗが挿通できる程度の寸法をあけている。
【００１８】
第１ピンチローラ１１の対向位置で、かつ、第２ピンチローラ１２と第３ピンチローラ１３との間に、上記止水剤注入具１４のノズル１４ａを第１ピンチローラ１１側に向けて突設している。この止水剤注入具１４もロッド１６と接続し、ピストン１７の昇降に応じて押当材２０と連動して昇降させている。
【００１９】
上記ワイヤハーネス組立作業台１８より立設する上記一対の電線整列保持治具２１は、軸部２１ａの上端に複数本の電線を垂直方向に並列状態で収容するコ字状の電線受け部２１ｂを設けた形状で、電線受け部２１ｂの長穴２１ｃに電線群を挿入しながら布線すると、電線Ｗが垂直方向に整列する状態となるようにしている。
【００２０】
次に、止水剤注入装置１０を用いたワイヤハーネスＷ／Ｈの電線Ｗ間の止水手順について説明する。
電線整列保持治具２１の間で整列状態とされた電線群に対して、ピストン１７を上昇させて、第１〜第３ピンチローラ１１、１２、１３および止水剤注入具１４を連動して上昇させ、電線群の両側に沿って下端から上端にむけて垂直方向に移動させる。
上記移動により、第２ピンチローラ１２により図中左側に電線が押圧され、ついで、第１ピンチローラ１１により右側へ押圧され、さらに第３ピンチローラ１３により左側へと押圧される。第２ピンチローラ１２と第１ピンチローラ１１との隙間、第１ピンチローラ１１と第３ピンチローラ１３の隙間には大径の電線が１本だけ通る隙間があけられることとなる。よって、３つのピンチローラ１１〜１３で対向方向から押圧される電線群は、その間で電線が１本ずつ屈曲した状態となり、電線の間には隙間Ｓが矯正的にあけられる。
よって、止水剤注入具１４のノズル１４ａにより該隙間Ｓへと止水剤１９を注入することで、確実に全ての電線Ｗ間に止水剤１９を充填させることができる。
【００２１】
また、第１〜第３ピンチローラ１１〜１３は弾性材であるゴムで形成しているので、第１ピンチローラ１１と第２、第３ピンチローラ１２、１３の間の隙間の距離と、通過する電線Ｗ径に寸法差があっても吸収することができ、電線Ｗの損傷も防止することができる。また、第１〜第３ピンチローラ１１〜１３と電線Ｗとの間で滑りが起こりにくくなるので、第１ピンチローラ１１と第２、第３ピンチローラ１２、１３の間に電線Ｗを確実に通過させることができる。
【００２２】
図３は第２実施形態を示す。
第１実施形態との相違点は、押当材として、第１〜第３ピンチローラの代わりに、第１楔材３０と第２楔材３１を用いている点である。
【００２３】
図３に示すように、第１楔材３０および第２楔材３１はゴム製からなり、先細りの先端３０ａ、３１ａを対向して配置しており、先端３０ａ、３１ａ間の距離を電線Ｗ径と略同一としている。
また、止水剤注入具１４は第１楔材３０および第２楔材３１の下方に配置しており、第１実施形態と同様にして第１楔材３０および第２楔材３１と連結されている。
【００２４】
図３に示すように、第１楔材３０、第２楔材３１および止水剤注入具１４を連動させてワイヤハーネスＷ／Ｈの両側に沿って上方向に移動させると、第１楔材３０の先端３０ａと第２楔材３１の先端３１ａとの間の狭幅の空間を電線Ｗが通過する際に、先端３０ａ、３１ａを通り抜けた電線Ｗと、後続の電線Ｗとの間に強制的に隙間Ｓがあけられ、上記止水剤注入具１４により該隙間Ｓへと止水剤１９を注入することで、確実に電線Ｗ間に止水剤１９を充填させることができる。なお、第１楔材３０および第２楔材３１はゴム製で弾性を有するので、電線Ｗ径が第１楔材３０および第２楔材３１の先端３０ａ、３１ａ間の距離よりも大きい場合でも、第１楔材３０および第２楔材３１を撓ませて電線Ｗが通り抜けることができ、かつ、電線Ｗの損傷も防止することができる。
【００２５】
さらに、第１楔材３０、第２楔材３１および止水剤注入具１４を連動して上昇させると、全ての電線Ｗが第１楔材３０、第２楔材３１の間を下方に通り抜けて、電線Ｗ間に完全に止水剤１９が充填されたワイヤハーネスＷ／Ｈが形成され、線間止水の信頼性を高めることができる。
【００２６】
【発明の効果】
以上の説明より明らかなように、本発明によれば、止水剤を電線群の各電線間に注入する際に、押当材（第１〜第３ピンチローラあるいは第１、第２楔材）で電線群に隙間をあけさせているので、確実に電線間に止水剤を充填させることができ、電線間の止水の信頼性が向上する。また、上記押当材をゴム等の弾性材とすることで、上記押当材の間を通過する電線径の寸法差を吸収できると共に、電線の損傷も防止できる。
【図面の簡単な説明】
【図１】本発明の第１実施形態を示す斜視図である。
【図２】第１実施形態の止水剤注入手順を示す説明図である。
【図３】第２実施形態の止水剤注入手順を示す説明図である。
【図４】従来例を示す斜視図である。
【図５】（Ａ）〜（Ｆ）は従来例の止水手順を示す図面である。
【符号の説明】
１０　　　　止水剤注入装置
１１　　　　第１ピンチローラ
１２　　　　第２ピンチローラ
１３　　　　第３ピンチローラ
１４　　　　止水剤注入具
１４ａ　　　ノズル
１５、１６　ロッド
１７　　　　ピストン
１８　　　　作業台
１９　　　　止水剤
２０　　　　押当材
２１　　　　冶具
３０　　　　第１楔材
３１　　　　第２楔材
Ｗ／Ｈ　　　ワイヤハーネス
Ｗ　　　　　電線
【図１】
2004134193.tif 000003
【図２】
2004134193.tif 000004
【図３】
2004134193.tif 000005
【図４】
2004134193.tif 000006
【図５】
2004134193.tif 000007